(57)【要約】【課題】  使用に便利なノートブックコンピュータードッキングステーションを提供する。【解決手段】  ボディと第１連接ポートとを含むノートブックコンピュータードッキングステーションが提供される。ボディが第１凹部および第２凹部を有し、そのうち、第１凹部がノートブックコンピューターを収容するためのものであり、かつ第２凹部が周辺機器を収容するためのものである。第１連接ポートが第２凹部中に位置するとともに、周辺機器へ電気接続される。【選択図】図２
2011070626.tif 000002
【特許請求の範囲】
【請求項１】
第１凹部および第２凹部を有し、そのうち、前記第１凹部がノートブックコンピューターを収容するためのものであり、かつ前記第２凹部が周辺機器を収容するためのものであるボディと；
前記第２凹部中に位置するとともに、前記周辺機器へ電気接続する第１連接ポートと；
を備えるノートブックコンピュータードッキングステーション。
【請求項２】
前記第２凹部が、４つの側壁を有するとともに、少なくとも１つの前記側壁が他の側壁より高く、かつ前記周辺機器をガイドするとともに、前記周辺機器の定位を補助するよう機能するものである請求項１記載のノートブックコンピュータードッキングステーション。
【請求項３】
更に、前記第２凹部中に位置する複数の定位柱を備え、そのうち、前記定位柱の高さが前記第１連接ポートの高さより大きいものである請求項１記載のノートブックコンピュータードッキングステーション。
【請求項４】
更に、前記第１凹部および前記第２凹部の少なくとも１つ中に配置される複数のクッションを備えるものである請求項１記載のノートブックコンピュータードッキングステーション。
【請求項５】
更に、前記第１凹部中に第２連接ポートを備えるものである請求項１記載のノートブックコンピュータードッキングステーション。
【請求項６】
更に、前記第１凹部中に位置する複数の定位柱を備え、そのうち、前記定位柱の高さが前記第２連接ポートの高さより大きいものである請求項５記載のノートブックコンピュータードッキングステーション。
【請求項７】
更に、前記第１凹部の外側に配置された複数の第３連接ポートを備える請求項５記載のノートブックコンピュータードッキングステーション。
【請求項８】
更に、前記ボディの下に配置された補助ベースを備え、そのうち、前記補助ベースの長さが前記ボディの長さより小さいけれども、前記補助ベースの幅が前記ボディの幅より大きいものである請求項１記載のノートブックコンピュータードッキングステーション。
【請求項９】
前記ボディが更に前記ノートブックコンピューターの下に対応するように位置する散熱孔を有する請求項１記載のノートブックコンピュータードッキングステーション。
【発明の詳細な説明】
【技術分野】
【０００１】
この発明は、一般的にノートブックコンピュータードッキングステーションに関し、特に、使用に便利なノートブックコンピュータードッキングステーションに関する。
【背景技術】
【０００２】
現在の電子製品は、常に、ユーザーの必要に合わせるために、軽く薄く短く小さい形状設計を追求している。ノートブックコンピューターについて言えば、複数の近年開始されたサブノートブック・コンピューター（以下、「コンピューター」を省略する）は、携帯に便利なことが特徴である。他方、小さな体積のために、それに配置できる機能パーツも限られるので、その機能性および拡張性も限られ、サブノートブックは、大きな操作空間を有するデスクトップコンピューターと比較すると、機能が大幅に少ない。例えば、サブノートブックに光ディスクドライブ（optical disk drive = ＯＤＤ）を着装するためには、ＯＤＤがサブノートブックの外部に配置されるとともに、外部からサブノートブックに電気接続されなければならず、そのホストにＯＤＤを配置できるデスクトップコンピューターとは全く異なっている。
【０００３】
サブノートブックの機能性および拡張性を改善するために、ドッキングステーションが関連技術において提供されており、複数のコネクターを有して、ユーザーは、ＯＤＤのような周辺機器をドッキングステーションに配置することができる。ユーザーが周辺機器を操作する必要のある時、ドッキングステーションがサブノートブックに連結されなければならず、サブノートブックが周辺機器に電気接続される。このようにして、ユーザーは、サブノートブックの軽量さ・使いやすさという特徴を享受できるだけでなく、サブノートブックおよび周辺機器間の接続・非接続のために差し込み・引き抜き（putting in/out）する煩わしさから解放されるとともに、更に、ユーザーがデスクトップコンピューターのそれらのような同一な機能性および拡張性を手に入れることができる。
【発明の概要】
【発明が解決しようとする課題】
【０００４】
しかし、上記したように、周辺機器は、ドッキングステーション中に配置されたＯＤＤがサブノートブックに電気接続された後、初めて駆動ならびに操作できる。特に、幾つかの設計は、ユーザーのためにコンピューターの機種を容易に変更できるようＯＤＤをドッキングステーションから切り離すことができるけれども、切り離されたＯＤＤは、サブノートブックへ接続して操作することができない。
【０００５】
そこで、この発明の目的は、使用に便利なノートブックコンピュータードッキングステーションを提供することにある。
【課題を解決するための手段】
【０００６】
この発明は、ノートブックコンピュータードッキングステーションを提供し、それがボディと第１連接ポートとを含む。ボディが第１凹部および第２凹部を有し、そのうち、第１凹部がノートブックコンピューターを収容するためのものであり、かつ第２凹部が周辺機器を収容するためのものである。第１連接ポートが第２凹部中に位置するとともに、周辺機器へ電気接続するものである。
【０００７】
この発明の実施形態にかかるノートブックコンピュータードッキングステーション中、第２凹部が４つの側壁を有するとともに、少なくとも１つの側壁が他の側壁より高く、かつ周辺機器をガイドするとともに、周辺機器の定位を補助するよう機能するものである。
【０００８】
この発明の実施形態にかかるノートブックコンピュータードッキングステーション中、ノートブックコンピュータードッキングステーションが、更に、第２凹部中に位置する複数の定位柱を備え、そのうち、定位柱の高さが第１連接ポートの高さより大きいものである。
【０００９】
この発明の実施形態にかかるノートブックコンピュータードッキングステーション中、ノートブックコンピュータードッキングステーションが、更に、第１凹部および第２凹部の少なくとも１つ中に配置される複数のクッションを備えるものである。また、ノートブックコンピュータードッキングステーションが、更に、第１凹部中に第２連接ポートを備え、第１凹部中に位置する複数の定位柱を備え、第１凹部の外側に配置された複数の第３連接ポートを備える。そのうち、定位柱の高さが第２連接ポートの高さより大きいものである。
【００１０】
この発明の実施形態にかかるノートブックコンピュータードッキングステーション中、ノートブックコンピュータードッキングステーションが更にボディの下に配置された補助ベースを備え、そのうち、補助ベースの長さがボディの長さより小さいけれども、補助ベースの幅がボディの幅より大きいものである。
【００１１】
この発明の実施形態にかかるノートブックコンピュータードッキングステーション中、ボディが更にノートブックコンピューターの下に対応するように位置する散熱孔を有するものである。
【発明の効果】
【００１２】
この発明のノートブックコンピュータードッキングステーションは、ノートブックコンピューターを収容するための凹部および周辺機器を収容するための別な凹部を有し、そのうち、凹部から切り離された周辺機器が単独で使用のためにノートブックコンピューターに接続できる。従来技術と比較して、この発明のノートブックコンピュータードッキングステーションは、使用空間を節約すること及び使用の便利さにおいて優位性を有するものである。
【００１３】
つまり、この発明のノートブックコンピュータードッキングステーションは、ノートブックコンピューターおよび周辺機器が直立してノートブックコンピュータードッキングステーションへ挿入されることができるとともに、それにより、ノートブックコンピューターおよびノートブックコンピュータードッキングステーションの組み合わせが、従来のデスクトップコンピューターホストと比較して、使用空間を節約することにおいて優位性がある。ノートブックコンピュータードッキングステーションのボディの第２凹部から周辺機器を切り離した後、上記した全てのパーツは、移動するユーザーにより容易に携帯できる。ユーザーが周辺機器を操作する必要のある時、伝送線だけがノートブックコンピューターを周辺機器に接続するために必要とされる。これに関して、この発明のノートブックコンピュータードッキングステーションは、ノートブックコンピューターの機能を拡張する。
【００１４】
また、ノートブックコンピューターおよび周辺機器の定位穴ならびにノートブックコンピュータードッキングステーションの凹部に配置された定位柱が、ノートブックコンピューターおよび周辺機器をノートブックコンピュータードッキングステーションのボディに位置合わせして、ノートブックコンピューターおよび周辺機器の連接ポートが、容易かつ対応するようにノートブックコンピュータードッキングステーションの連接ポートに電気接続され、もしノートブックコンピューターおよび周辺機器が位置合わせされていなければ、連接ポート間で損傷を引き起こす衝突（hit）を回避することができる。更に、ユーザーは、ノートブックコンピューターを外付けのハードディスクドライブとして供する代わりに、ノートブックコンピュータードッキングステーションに外付けしたキーボードおよびマウスを使用して、ノートブックコンピューターを操作できる。
【図面の簡単な説明】
【００１５】
【図１】この発明の実施形態により提供されるノートブックコンピュータードッキングステーションを示す斜視図である。
【図２】それから切り離された周辺機器を有するノートブックコンピュータードッキングステーションを示す斜視図である。
【図３】連接されたノートブックコンピューターおよび周辺機器を示す斜視図である。
【図４Ａ】ノートブックコンピュータードッキングステーションを示す平面図である。
【図４Ｂ】図４Ａのノートブックコンピュータードッキングステーションを示す側面図である。
【図４Ｃ】図４Ａのノートブックコンピュータードッキングステーションを示す右側面図である。
【図４Ｄ】図４Ａのノートブックコンピュータードッキングステーションを示す左側面図である。
【発明を実施するための形態】
【００１６】
以下、この発明を実施するための形態を図面に基づいて説明する。
図１は、この発明の実施形態により提供されるノートブックコンピュータードッキングステーションを示す斜視図であるとともに、図２は、それから切り離された周辺機器を伴うノートブックコンピュータードッキングステーションを示す斜視図である。図１と図２とにおいて、ノートブックコンピュータードッキングステーション１００が、ボディ１１０と第１連接ポート１２０とを含む。ボディ１１０が、第１凹部１１２と第２凹部１１４とを有し、そのうち、第１凹部１１２がノートブックコンピューター２００を収容するためであるとともに、第２凹部１１４が周辺機器３００を収容するためであり、かつ、周辺機器３００が例えばＯＤＤまたは外付けハードディスクドライブあるいはマウスのような他の周辺機器である。第１連接ポート１２０が第２凹部１１４中に位置するとともに、周辺機器３００に電気接続される。ノートブックコンピューター２００および周辺機器３００が、それぞれ直立に第１凹部１１２および第２凹部１１４の挿入されて、ノートブックコンピューター２００が、ノートブックコンピュータードッキングステーション１００を介して、周辺機器３００に電気接続されるとともに、その機能を拡張する。この発明の直立レイアウトは、更に、ノートブックコンピューター２００がドッキングステーション上に水平に配置される従来のドッキングステーションと比較して、使用空間を節約できる。図３は、連接されたノートブックコンピューターおよび周辺機器を示す斜視図である。図２と図３とにおいて、周辺機器３００が第２凹部１１４から分離され、かつ、分離された周辺機器３００が、図３に示すように、使用のために伝送線４００を介してノートブックコンピューター２００に接続できる。上記した構成により、周辺機器３００が同様にノートブックコンピューター２００の機能を拡張できる。
【００１７】
図４Ａは、ノートブックコンピュータードッキングステーションを示す平面図であり、図４Ｂは、図４Ａのノートブックコンピュータードッキングステーションを示す側面図である。図１と図４Ａと図４Ｂとにおいて、本実施形態のノートブックコンピュータードッキングステーション１００が更に第２凹部１１４中に位置する複数の定位柱１３０を含み、そのうち、定位柱１３０の高さが第１連接ポート１２０の高さより大きいとともに、周辺機器３００（図３に図示）が複数の対応する定位穴３０２（図３に図示）を有する。周辺機器３００（図３に図示）がノートブックコンピュータードッキングステーション１００のボディ１１０の第２凹部１１４に挿入されるので、定位柱１３０が先ず定位穴３０２に位置合わせされて、定位柱１３０を定位し、かつ周辺機器３００の連接ポート（図示せず）をノートブックコンピュータードッキングステーション１００の第１連接ポート１２０に対応するように電気接続するが、その優位性は、周辺機器３００がノートブックコンピュータードッキングステーション１００のボディ１１０に挿入される時、第１連接ポート１２０および周辺機器３００（図３に図示）の連接ポート（図示せず）間の損傷を引き起こす直接衝突を回避することである。また、周辺機器３００がノートブックコンピュータードッキングステーション１００のボディ１１０の第２凹部１１４に直立して挿入されるので、空間を節約することにおいて優位性がある。
【００１８】
図４Ｃは、図４Ａのノートブックコンピュータードッキングステーションを示す右側面図である。図４Ａと図４Ｂと図４Ｃとにおいて、ノートブックコンピュータードッキングステーション１００の第１凹部１１２もまた第２連接ポート１５０および複数の定位柱１７０を配置するとともに、複数の第３連接ポート１６０（図４Ｃに図示）が更に第１凹部１１２の外側に配置される。ここで第１連接ポート１２０と第２連接ポート１５０と第３連接ポート１６０とは、互いに同一または異なることができ、それらは、例えば、必要に応じて、ユニバーサル・シリアル・バス（universal seriall bus =ＵＳＢ）インターフェース、ＩＥＥＥ-1394インターフェースまたはＳＡＴＡ（serial advanced technology attachment）コネクターである。ノートブックコンピューター２００もまた連接ポート（図示せず）および定位穴（図示せず）を採用し、そのうち、上記と同様に、定位柱１７０の高さが第２連接ポート１５０の高さより大きく、ユーザーがノートブックコンピューター２００をノートブックコンピュータードッキングステーション１００の第１凹部１１２に挿入使用とする時、ノートブックコンピューター２００をガイドするために、定位柱１７０ならびに定位穴（図示せず）が互いに挿入しあう。上記したガイドにより、ノートブックコンピューター２００の連接ポート（図示せず）および第１凹部１１２中の第２連接ポート１５０が対応するように互いに挿入しあう。注意すべきは、第１凹部１１２外側に配置された第３連接ポートもまた応用の必要性に従って選択されるネットワーク接続ソケット、電源ソケットまたは音源ソケット用のインターフェースであり、ユーザーが更に外部からコンピューターを他の電子装置に接続し、かつノートブックコンピューター２００の機能を拡張するよう促すことである。
【００１９】
ノートブックコンピューター２００がノートブックコンピュータードッキングステーション１００に挿入されている時、ノートブックコンピュータードッキングステーション１００は、電源に電気接続されてノートブックコンピューター２００に電力を供給する。また、ノートブックコンピューター２００の連接ポートおよびノートブックコンピュータードッキングステーション１００のボディ１１０の第２連接ポート１５０が互いに挿入しあうとともに、第３連接ポートがノートブックコンピュータードッキングステーション１００のボディ１１０上に配置されるため、ノートブックコンピューター２００がノートブックコンピュータードッキングステーション１００のボディ１１０を介して他のディスプレイ、キーボードおよびマウスに電気接続できる。構成により、ノートブックコンピューター２００およびノートブックコンピュータードッキングステーション１００の組み合わせが従来のデスクトップコンピューター・ホストと均等なものである；即ち、ユーザーは、キーボードおよびマウスによりノートブックコンピューター２００を操作することができると同時に、ディスプレイが操作結果を表示する。デスクトップコンピューター・ホストと比較して、この発明によって提供されるノートブックコンピューター２００およびノートブックコンピュータードッキングステーション１００の組み合わせは、デスクトップコンピューター・ホストと比較してより小さい体積を占めるとともに、より多くの空間を節約する。
【００２０】
その外、ノートブックコンピュータードッキングステーション１００は、更に、複数のクッション１４０を含むとともに、第１凹部１１２および第２凹部１１４がそれぞれクッション１４０（図４Ａに図示）をここでは採用し、そのうち、クッション１４０は、ノートブックコンピューター２００・周辺機器３００およびボディ１１０間の衝撃を緩衝するためのものである。
【００２１】
図１と図２と図４Ａとにおいて、ノートブックコンピュータードッキングステーション１００が更にボディ１１０の下に配置される補助ベース１８０を含み、そのうち、補助ベース１８０の長さがボディ１１０の長さより小さいとともに、補助ベース１８０の幅がボディ１１０の幅より大きい。ノートブックコンピューター２００および周辺機器３００がノートブックコンピュータードッキングステーション１００に挿入される時、補助ベース１８０がボディ１１０のバランスを保持でき、ノートブックコンピュータードッキングステーション１００の傾斜および転倒を防止する。
【００２２】
図４Ａにおいて、ボディ１１０が更に散熱孔１１６を有する。ノートブックコンピューター２００（図１に図示）がノートブックコンピュータードッキングステーション１００に挿入される時、散熱孔１１６がノートブックコンピューター２００（図１に図示）の下に対応するように位置して、ノートブックコンピューター２００（図１に図示）の熱を散熱する。
【００２３】
図４Ｄは、図４Ａのノートブックコンピュータードッキングステーションを示す左側面図である。図４Ｄにおいて、第２凹部１１４が複数の側壁１１４ａ&１１４ｂを有し、そのうち、側壁１１４ｂより高い側壁１１４ａが周辺機器３００（図１に図示）をガイドすること及び定位することに使用される。言い換えれば、本実施形態中、第２凹部１１４は、その中に定位柱１３０を配置する必要がない。側壁１１４ａおよび定位柱１３０が一緒になって周辺機器３００をガイドすること及び定位することの効果を強化できる。本実施形態中、高い側壁１１４ａならびに低い側壁１１４ｂが互いにほぼ垂直に連結され、そのうち、第１凹部１１２および第２凹部１１４間に位置し、かつ側壁１１４ａに連結する側壁（図示せず）は、側壁１１４ａより高い。即ち、最も高い側壁である。４つの側壁中、最も高い側壁および側壁１１４ｂ間にほぼ垂直に連結する側壁が最も低い側壁である。４つの側壁の高さは、必要に従って設計されるものであり、この発明を限定するものではない。
【００２４】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２５】
１００  ノートブックコンピュータードッキングステーション
１１０  ボディ
１１２  第１凹部
１１４  第２凹部
１１４ａ，１１４ｂ  側壁
１１６  散熱孔
１２０  第１連接ポート
１３０  定位柱
１４０  クッション
１５０  第２連接ポート
１６０  第３連接ポート
１８０  補助ベース
２００  ノートブックコンピューター
３００  周辺機器
３０２  定位穴
４００  伝送線
【図１】
2011070626.tif 000003
【図２】
2011070626.tif 000004
【図３】
2011070626.tif 000005
【図４Ａ】
2011070626.tif 000006
【図４Ｂ】
2011070626.tif 000007
【図４Ｃ】
2011070626.tif 000008
【図４Ｄ】
2011070626.tif 000009
【外国語明細書】
2011070626000001.pdf